(57)【特許請求の範囲】
【請求項１】
２本の対向する親骨と、両親骨の対向内側面に両端が取り付けられた蛇腹折りの扇シートとを備え、両親骨を基端側の軸部を支点に回動させて扇シートをアコーディオン状に開閉自在とする扇子において、
２本の親骨は、親骨本体及び互いを連結させる円筒型の連結部を備える同一形状とし、
連結部は、円筒の軸線方向が親骨本体の左右幅方向と一致する向きに親骨本体の基端の左右幅方向一方側に一体形成されている円筒側面部と、円筒側面部の下端側に設けられ軸部が取り付けられる軸孔を有する底板部とを備え、
円筒側面部は、内周面に開時係合部が設けられ、外周面に閉時係合部が設けられ、
円筒側面部の上位置で且つ内周位置に開時係合片が設けられ、親骨本体の基端部における左右幅方向他方側の側面に設ける凹所内に閉時係合ピンが設けられ、
両親骨のそれぞれの開時係合片は、他方の連結部における円筒側面部の内周面と対向して扇シートの開状態にて他方の連結部の開時係合部と係合され、一方、両親骨のそれぞれの閉時係合ピンは、他方の連結部における円筒側面部の外周面と対向して扇シートの閉状態にて他方の連結部の閉時係合部と係合される構成とする扇子。
【請求項２】
請求項１に記載の扇子において、
上記円筒側面部は、扇シートの下端部が配置されて開閉時の扇シート下端部の可動を許容させるように親骨内側面の位置から一定範囲で高さが低く形成されている低所側面部と、両親骨の連結部同士の連結状態で互いの上端が対接されて低所側面部よりも高さが高く形成されている高所側面部とから構成され、
上記開時係合部は、高所側面部の内周面に設けられて扇シートの開状態にて他方の連結部の開時係合片と係合して両親骨の閉方向への回転が阻止され、
上記閉時係合部は、低所側面部の外周面に設けられて扇シートの閉状態にて他方の親骨の閉時係合ピンと係合して両親骨の開方向への回転が阻止される構成とする扇子。
【請求項３】
請求項１又は２に記載の扇子において、
上記連結部は、さらに、
底板部の内側面に軸孔に沿って突設される軸孔筒部と、
軸孔筒部の上端外周に連設されて両親骨の連結部同士の連結状態で互いに対接される中板部と、
中板部と円筒側面部との間に設けられて両親骨の連結部同士の連結状態で他方の連結部における開時係合片の可動を許容させる隙間とを備える扇子。
【発明の詳細な説明】
【技術分野】
【０００１】
本発明は、蛇腹折りの扇シートをアコーディオン状に開閉自在とされる扇子に関する。
【背景技術】
【０００２】
従来、この種の扇子として、２本の親骨のうち、一方の親骨の内側下側面に開時凹部と閉時凹部を有する軸取付部材を設け、もう一方の親骨の内側下側面に上記軸取付部材を配置する一対の挟持板と凸部とを設け、扇シートの開状態では凸部が開時凹部と嵌合し、扇シートの閉状態では凸部が閉時凹部と嵌合して、扇シートの開閉状態を維持するようにしたものがある（特許文献１）。
【先行技術文献】
【特許文献】
【０００３】
【特許文献１】特開２０００−２８７７３２号公報
【発明の概要】
【発明が解決しようとする課題】
【０００４】
上記従来の扇子では、扇シートを開状態と閉状態とに保持する構成として、１つの凸部が２つの凹部（開時凹部と閉時凹部）のそれぞれに嵌る構成とされている。そのため、凸部は、扇シートの開閉の度に２つの凹部に擦られる。扇子は、実用上、扇シートの開閉が頻繁に行われることから、凸部が早く摩耗して、扇シートの開状態と閉状態とが保持され難くなるおそれがある。
【０００５】
また、２本の親骨は、軸取付部を形成するものと、一対の挟持板及び凸部を形成するものとの２種類からなり、異なる形状を有するものである。そのため、各親骨を製造するための金型もそれぞれに必要であり、親骨の生産性が悪く、またコスト高となる。
【０００６】
本発明は、上記事情に鑑みてなされたものであり、扇シートの開状態と閉状態との保持を安定して行うことができ、また生産性に優れる扇子を提供することを目的とする。
【課題を解決するための手段】
【０００７】
本発明に係る扇子は、
２本の対向する親骨と、両親骨の対向内側面に両端が取り付けられた蛇腹折りの扇シートとを備え、両親骨を基端側の軸部を支点に回動させて扇シートをアコーディオン状に開閉自在とする扇子において、
２本の親骨は、親骨本体及び互いを連結させる円筒型の連結部を備える同一形状とし、
連結部は、円筒の軸線方向が親骨本体の左右幅方向と一致する向きに親骨本体の基端の左右幅方向一方側に一体形成されている円筒側面部と、円筒側面部の下端側に設けられ軸部が取り付けられる軸孔を有する底板部とを備え、
円筒側面部は、内周面に開時係合部が設けられ、外周面に閉時係合部が設けられ、
円筒側面部の上位置で且つ内周位置に開時係合片が設けられ、親骨本体の基端部における左右幅方向他方側の側面に設ける凹所内に閉時係合ピンが設けられ、
両親骨のそれぞれの開時係合片は、他方の連結部における円筒側面部の内周面と対向して扇シートの開状態にて他方の連結部の開時係合部と係合され、一方、両親骨のそれぞれの閉時係合ピンは、他方の連結部における円筒側面部の外周面と対向して扇シートの閉状態にて他方の連結部の閉時係合部と係合される構成とするものである。
【０００８】
上記円筒側面部は、扇シートの下端部が配置されて開閉時の扇シート下端部の可動を許容させるように親骨内側面の位置から一定範囲で高さが低く形成されている低所側面部と、両親骨の連結部同士の連結状態で互いの上端が対接されて低所側面部よりも高さが高く形成されている高所側面部とから構成され、
上記開時係合部は、高所側面部の内周面に設けられて扇シートの開状態にて他方の連結部の開時係合片と係合して両親骨の閉方向への回転が阻止され、
上記閉時係合部は、低所側面部の外周面に設けられて扇シートの閉状態にて他方の親骨の閉時係合ピンと係合して両親骨の開方向への回転が阻止される構成とすることができる。
【０００９】
上記連結部は、さらに、
底板部の内側面に軸孔に沿って突設される軸孔筒部と、
軸孔筒部の上端外周に連設されて両親骨の連結部同士の連結状態で互いに対接される中板部と、
中板部と円筒側面部との間に設けられて両親骨の連結部同士の連結状態で他方の連結部における開時係合片の可動を許容させる隙間とを備えるようにしてもよい。
【発明の効果】
【００１０】
以上のように、本発明に係る扇子によれば、２本の親骨のそれぞれにおいて、扇シートの開状態のときに係合する係合部（開時係合部、開時係合片）と、扇シートの閉状態のときに係合する係合部（閉時係合部、閉時係合ピン）とが別々に設けられている。従って、従来のように１つの係合部が扇シートの開閉の度に擦れることがなく、それぞれの係合部が早期に摩耗することがないから、扇シートの開閉状態を安定して保持することができる。
【００１１】
また、扇シートの開状態では両方の連結部のそれぞれの開時係合片が相手側の連結部の開時係合部と係合し合い、扇シートの閉状態では両方の連結部のそれぞれの閉時係合ピンが相手側の連結部の閉時係合部と係合し合い、開状態のときも閉状態のときもそれぞれ２ヶ所で係合される。このように、扇シートの開閉状態のそれぞれのときには各係合部がダブルで係合する構成となっているから、扇シートの開閉状態の保持を強固に且つ確実に行うことができる。
【００１２】
また、２本の親骨は、同一形状であるから、親骨をプラスチック製とする場合、親骨を製造するための金型が１種類でよく、親骨を効率よく生産することができ、生産コストも低減することができる。
【図面の簡単な説明】
【００１３】
【図１】実施形態の扇子において、扇シートを開いた状態を示す正面図である。
【図２】実施形態の扇子において、扇シートを開いた状態を示す正面図である。
【図３】実施形態の扇子の各部の構成を示す分解斜視図である。
【図４】円筒型の連結部の構成を示す拡大斜視図であり、同図（ａ）は連結部を内側から見たときの斜視図であり、同図（ｂ）は連結部を外側から見たときの斜視図である。
【図５】実施形態の扇子の開閉状態における連結部の各係合部の係合関係を説明するための拡大正面図であり、同図（ａ）は閉状態のときの連結部の正面図であり、同図（ｂ）は開状態のときの連結部の正面図である。
【図６】扇シートの抜け防止機構の例を示した図であり、同図（ａ）は斜視図であり、同図（ｂ）は断面図である。
【図７】扇シートの抜け防止機構の他の例を示した図であり、同図（ａ）は斜視図であり、同図（ｂ）は断面図である。
【発明を実施するための形態】
【００１４】
以下に、本発明の実施形態について図面を参照しながら説明する。
図１、図２及び図３に示すように、実施形態の扇子１は、２本の対向する親骨２と、両親骨２の対向内側面２１に両端３１が取り付けられた蛇腹折りの扇シート３とを備え、両親骨２を基端側の軸部４を支点に回動させて扇シート３をアコーディオン状に開閉自在とするものである。
【００１５】
２本の親骨２は、扇シート３が取り付けられる親骨本体５と、２本の親骨２同士を連結させる円筒型の連結部６とを備える。この２本の親骨２は、同一形状であり、１種類の親骨２から扇子１の主要部が構成される。親骨２は、例えば、プラスチック製であり射出成形等の一体成形により作製することができる。従って、従来の扇子（特許文献１）と比べ、親骨２を製造するための金型が１種類でよく、親骨２を効率よく生産することができ、生産コストも低減することができる。
【００１６】
親骨本体５は、細長い平板状に形成され、内側面２１に蛇腹折りの扇シート３の端面３１が貼着される。扇シート３は、扇状に形成された紙又はプラスチックシート等を山折り谷折りを繰り返して蛇腹状に折り畳んで形成したものである。
【００１７】
図４をも参照して、連結部６は、親骨本体５の基端に連続形成されている円筒側面部７と、軸部４が取り付けられる軸孔６３を有する底板部６４と、底板部６４の内側面に軸孔６３に沿って突設される軸孔筒部６６と、軸孔筒部６６の上端外周に連設されている中板部６５とを備えている。
【００１８】
円筒側面部７は、その上下方向となる円筒の軸線方向が親骨本体５の左右幅方向と一致する向きに配置され、親骨本体５の基端の左右幅方向一方側に一体形成されている。この円筒側面部７は、高さが低く形成されている低所側面部６１と、低所側面部６１よりも高さが高く形成されている高所側面部６２とから構成されている。
【００１９】
低所側面部６１は、扇シート３の下端部が配置されて開閉時の可動を許容させるように親骨本体５の内側面２１の位置から一定範囲、すなわち扇シート３の下端部の可動範囲であって扇シート３が扇型に開状態となる角度範囲（約１００°）に亘って形成されている。
【００２０】
高所側面部６２は、両親骨２の連結部６同士を軸線方向に重ね合わせた連結状態で互いの上端が対接される高さに形成されている。この高所側面部６２の高さは、円筒側面部７の軸線方向の最大幅であって親骨本体５の左右幅の略半分程度であり、両親骨２の連結部６同士を結合すると、これら連結部６の全体幅が親骨本体５の左右幅と同程度となる。
【００２１】
底板部６４は、円筒側面部７の下端側、すなわち、親骨２の側端側であり両親骨２の連結部６同士を結合したときに外側に配置される端部側に設けられている。この底板部６４は、低所側面部６１の形成範囲と同程度の範囲に形成されている。底板部６４と中板部６５との間には、扇シート３の下端部の受面６７（図４（ａ）参照。）が形成されている。底板部６４の軸孔６３に装着される軸部４は、両親骨２の連結部６同士を連結させるとともに親骨２の回動支点となる。
【００２２】
中板部６５は、扇シート３の下端部の開閉時の可動を妨げない範囲、すなわち高所側面部６２の形成範囲と同程度の範囲に形成されている。中板部６５は、両親骨２の連結部６同士の連結状態で互いに対接される位置に形成され、この中板部６５の表面の位置が高所側面部６２の上端の位置と略一致している。従って、両親骨２の連結部６同士の連結状態では、高所側面部６２と中板部６５とが互いに対接されるので、連結部６がガタ付くことなく安定して結合される。
【００２３】
また、各連結部６における円筒側面部７の下端側の外面（両親骨２の連結部６同士を結合したときに外側となる円筒側面部７の端面）には、内部を目隠しして見栄えを良くする円形の化粧板８が取り付けられる（図１、図２、図３参照。）。化粧板８は、図３に示すように、内面外周の３ヶ所に係合爪８１が突設され、各係合爪８１の先端には外向きに突出する凸爪部８２が形成され、また、円筒側面部７の内周面には、図４に示すように、化粧板８の各係合爪８１と対応する位置に係合爪８１の凸爪部８２と係合する係合溝８５が設けられている。なお、３ヶ所の係合溝８５のうち円筒側面部７の底板部６４の形成位置に配設する部分には、底板部６４に挿入孔８６（図４（ｂ）参照。）が設けられている。また、化粧板８と円筒側面部７との位置決め用に、化粧板８の内面外周に凸部８３（図３参照。）が設けられ、円筒側面部７の下端内面に凹部８４（図４（ｂ）参照。）が設けられている。
【００２４】
そして、本実施形態の扇子１において、扇シート３の開状態と閉状態とにそれぞれ保持する構成として、以下の構成を備えている。
図３、図４を参照して、低所側面部６１の外周面には、閉時係合凸部７１（閉時係合部）が設けられ、高所側面部６２の内周面には、開時係合凸部７２（開時係合部）が設けられている。一方、高所側面部６２の上位置で且つ内周位置には、他方の連結部６の開時係合凸部７２と係合される円弧状の開時係合片７３が設けられ、親骨本体５の基端部には、他方の連結部６の閉時係合凸部７１と係合される閉時係合ピン７６が設けられている。
【００２５】
円弧状の開時係合片７３は、親骨本体５の内側面２１の位置から高所側面部６２に沿って円弧状に一定長さに形成されており、親骨本体５寄りの基端側が中板部６５と結合され、この基端側部分以外の先端側は自由端となっている。この開時係合片７３の自由端となった先端部の外周面において、他方の連結部６の開時係合凸部７２と係合される係合凹部７４（図４参照。）が形成されている。中板部６５と高所側面部６２との間には、他方の連結部６における開時係合片７３の可動を許容させる隙間６８（図４参照。）が設けられている。
【００２６】
また、閉時係合ピン７６は、親骨本体５の基端部における左右幅方向他方側の側面、すなわち円筒側面部７が形成されていない側の親骨本体５側面に下端から連続する凹所７５（図４参照。）が設けられ、この凹所７５内において親骨本体５の左右幅方向に延びるように設けられている。
【００２７】
次に、扇シート３の開閉状態のときの各係合部７１，７２，７３，７６の関係を、図５に基づいて説明する。なお、図５は、連結部６において化粧板８を外した状態を示す。また、図５に付した符号には、一対の親骨２の連結部６が、前側（図面上に現れる側）に配置される方に「Ａ」、後側に配置される方に「Ｂ」を併記している。
図５を参照して、両親骨２の連結部６同士の連結状態において、図５（ａ）に示すように、扇シート３の閉状態のとき、両親骨２のそれぞれの閉時係合ピン７６Ａ，７６Ｂは、他方の連結部６Ａ，６Ｂにおける円筒側面部７Ａ，７Ｂ（低所側面部６１）の外周面と対向して他方の連結部６Ａ，６Ｂの閉時係合凸部７１Ａ，７１Ｂと係合される。これにより、両親骨２の開方向への回転が阻止される。なお、この閉状態のとき、両連結部６Ａ，６Ｂの開時係合片７３Ａ，７３Ｂと開時係合凸部７２Ａ，７２Ｂとは、係合されない位置関係に配置されている。
【００２８】
一方、図５（ｂ）に示すように、扇シート３の開状態のとき、両親骨２のそれぞれの開時係合片７３Ａ，７３Ｂは、他方の連結部６Ａ，６Ｂにおける円筒側面部７Ａ，７Ｂ（高所側面部６２）の内周面と対向して先端部の係合凹部７４Ａ，７４Ｂが他方の連結部６Ａ，６Ｂの開時係合凸部７２Ａ，７２Ｂと係合される。これにより、両親骨２の閉方向への回転が阻止される。なお、この開状態のとき、両連結部６Ａ，６Ｂの閉時係合ピン７６Ａ，７６Ｂと閉時係合凸部７１Ａ，７１Ｂとは、係合されない位置関係に配置されている。
【００２９】
このように、実施形態の扇子１によれば、２本の親骨２のそれぞれにおいて、扇シート３の開状態のときに係合する係合部（開時係合凸部７２、開時係合片７３）と、扇シート３の閉状態のときに係合する係合部（閉時係合凸部７１、閉時係合ピン７６）とが別々に設けられている。従って、従来の扇子（特許文献１）のように、１つの係合部が扇シートの開閉の度に擦れることがなく、係合部７１，７２，７４，７６が早期に摩耗することがないから、扇シート３の開閉状態を安定して保持することができる。
【００３０】
また、扇シート３の開状態では両方の連結部６のそれぞれの開時係合片７３が相手側の連結部６の開時係合凸部７２と係合し合い、扇シート３の閉状態では両方の連結部６のそれぞれの閉時係合ピン７６が相手側の連結部６の閉時係合凸部７１と係合し合い、開状態のときも閉状態のときもそれぞれ２ヶ所で係合される。このように、扇シート３の開閉状態のときに両方の連結部６のそれぞれの係合部７１，７２，７４，７６が相手側の係合部７１，７２，７４，７６と互いに係合し合うようにダブルで係合する構成となっているから、扇シート３の開閉状態の保持を強固に且つ確実に行うことができる。
【００３１】
また、２本の親骨２は、同一形状であり、１種類の親骨２から扇子１の主要部が構成されるので、従来の扇子（特許文献１）と比べ、親骨２を製造するための金型が１種類でよく、親骨２を効率よく生産することができ、生産コストも低減することができる。
【００３２】
なお、本発明は、上記実施形態のみに限定されず、本発明の要旨の範囲内で様々な変更を施すことが可能である。
例えば、閉時係合部７１は、凸部でなく、閉時係合ピン７６が嵌る凹部であってもよい。
また、開時係合片７３は、先端部において、係合凹部７４でなく、開時係合凸部７２と係合する係合凸部であってもよい。
また、開時係合片７３には、先端部において係合凹部７４でなく係合凸部を設け、高所側面部６２には開時係合凸部７２でなくこの開時係合片７３の係合凸部が嵌る開時係合凹部７４を設けるようにしてもよい。
【００３３】
また、連結部６には、扇シート３の抜け防止機構９を設けるようにしてもよい。
この抜け防止機構９の一例として、図６（ａ）（ｂ）に示すように、底板部６４には、円筒側面部７の周方向に沿って円弧状のリブ９１を設ける。この場合、扇シート３の下部の両側部にリブ９１に嵌まり込む切込み部３２を設ける。なお、図示しないが、円弧状のリブ９１は、先端を尖らせたクサビとし、扇シート３の下部には切込み部３２を設けず上記クサビを食い込ませるようにしてもよい。
また、抜け防止機構９の他の例として、図７に示すように、連結部６において親骨本体５の内側面２１から連続する面には、円筒側面部７の周方向に沿って底板部６４上の半分程度の長さの円弧状のアーチ９２を設ける。この場合、扇シート３の下部にアーチ９２を挿通させる穴部３３を設ける。
以上の抜け防止機構９により、扇子１を扇いだ際の遠心力による扇シート３の抜けを確実に防止することができる。
【符号の説明】
【００３４】
１  扇子
２  親骨
３  扇シート
４  軸部
５  親骨本体
６  連結部
７  円筒側面部
８  化粧板
９  抜け防止機構
２１  親骨本体の内側面
３１  扇シートの端面
６１  低所側面部
６２  高所側面部
６３  軸孔
６４  底板部
６５  中板部
６６  軸孔筒部
６７  受面
６８  隙間
７１  閉時係合凸部（閉時係合部）
７２  開時係合凸部（開時係合部）
７３  開時係合片
７４  係合凹部
７５  凹所
７６  閉時係合ピン
８１  係合爪
８２  凸爪部
８３  凸部
８４  凹部
８５  係合溝
８６  挿入孔
９１  リブ（抜け防止機構）
９２  アーチ（抜け防止機構）
【図１】
0006603166.tif 000002
【図２】
0006603166.tif 000003
【図３】
0006603166.tif 000004
【図４】
0006603166.tif 000005
【図５】
0006603166.tif 000006
【図６】
0006603166.tif 000007
【図７】
0006603166.tif 000008